(57)【要約】      （修正有）【課題】乾燥性能を大幅に増進することができる乾燥機熱気循環制御装置を提供する。【解決手段】乾燥機熱気循環制御装置は、熱風管路を経由し空気を伝送する送風機と、冷媒管路を経由し冷媒を押し込む圧縮機と、を含み、熱風管路は、乾燥箱、気体冷凝器及び気体加熱器を順に通過し、更に送風機に通入し、冷媒管路は、熱風管路の気体加熱器及び気体冷凝器を順に経過し、圧縮機に通入し、該熱風管路及び/又は冷媒管路が補助熱交換器に接続し、気体冷凝器を補助し、更に空気温度及び飽和含水量を低減し、気体加熱器により空気温度を上昇させ、相対湿度を低減し、摂氏５５〜８５度の乾燥状態空気にする。【選択図】図１
0003170761.tif 000002
【実用新案登録請求の範囲】
【請求項１】
熱風管路を経由し空気を伝送する送風機と、冷媒管路を経由し冷媒を押し込む圧縮機と、を含み、
該熱風管路は、乾燥箱、気体冷凝器及び気体加熱器を順に通過し、更に送風機に通入し、
該冷媒管路は、前記熱風管路の前記気体加熱器及び前記気体冷凝器を順に経過し、前記圧縮機に通入し、該熱風管路、該冷媒管路の何れかが補助熱交換器に接続し、前記気体冷凝器を補助し、更に空気温度及び飽和含水量を低減し、
前記気体加熱器により空気温度を上昇させ、相対湿度を低減し、乾燥状態空気にすることを特徴とする乾燥機熱気循環制御装置。
【請求項２】
前記補助熱交換器は、補助冷却器であり、冷媒管路に接続し、気体加熱器、気体冷凝器両者の間に位置し、冷媒を冷却する請求項１に記載の乾燥機熱気循環制御装置。
【請求項３】
前記冷媒管路は、補助熱交換器、気体冷凝器両者の間で膨張弁を接続する請求項２に記載の乾燥機熱気循環制御装置。
【請求項４】
前記熱風管路は、もう１つの補助熱交換器を接続し、乾燥箱、気体冷凝器両者の間に位置し、補助冷凝器とし、空気中に含まれる水分子を冷凝する請求項２に記載の乾燥機熱気循環制御装置。
【請求項５】
前記補助熱交換器は、補助冷凝器であり、熱風管路に接続し、乾燥箱、気体冷凝器の間に位置し、冷凝空気中に含まれる水分子を冷凝する請求項１に記載の乾燥機熱気循環制御装置。
【請求項６】
前記冷凝管路は、気体加熱器、気体冷凝器の間でもう１つの補助熱交換器に接続し、冷媒を冷凝する請求項５に記載の乾燥機熱気循環制御装置。
【請求項７】
前記空気乾燥状態の温度は、摂氏５５〜８５度である請求項１又は２又は４又は５に記載の乾燥機熱気循環制御装置。
【考案の詳細な説明】
【技術分野】
【０００１】
本考案は、乾燥機熱気循環制御装置に関し、乾燥機にヒートポンプ省エネルギー設計を利用した熱気循環制御装置である。
【背景技術】
【０００２】
工業及び農業用乾燥機は、摂氏６０度の乾燥空気を利用し、乾燥箱に送り込み、被乾燥物が含む湿気を吸収し、高湿度空気中の水分子を水滴に冷凝して排出し、その後、乾燥空気に６０度まで加熱を行い、送風機を経由し乾燥箱中に送り込む。
【０００３】
現在、工業及び農業用乾燥機は、主に密閉式ループ送風乾燥循環設計を採用し、ヒートポンプ設備を結合し、空気冷凝器に対し冷却を行い、空気加熱器に対し加熱を行う。但し、従来の乾燥機の乾燥空気温度は、ただ摂氏６０度に達することのみ可能であり、更に乾燥空気の温度を向上し、湿度を下降させることはできず、乾燥性能に影響を及ぼす。従って、上記問題及び欠陥を如何に改善するかは、関連業者が研究発展に力を注ぐ方向となっている。
【先行技術文献】
【特許文献】
【０００４】
【特許文献１】特開平１１−１５６０９６号公報
【考案の概要】
【考案が解決しようとする課題】
【０００５】
本考案の目的は、乾燥機の熱風管路に圧縮機の冷媒管路を組み合わせてヒートポンプシステムを構成し、少なくとも１つまた２つの補助熱交換器を結合し、気体冷凝器を補助し、空気の温度及び飽和含水量を更に低減し、気体加熱器により空気温度を上昇させ、相対湿度を低減し、摂氏５５〜８５度の乾燥状態の空気にし、乾燥性能を大幅に増進することができるようにすることである。
【課題を解決するための手段】
【０００６】
上記目的を達成する為、本考案は、乾燥機熱気循環制御装置は、熱風管路を経由し空気を伝送する送風機と、冷媒管路を経由し冷媒を押し込む圧縮機と、を含み、該熱風管路は、乾燥箱、気体冷凝器及び気体加熱器を順に通過し、更に送風機に通入し、該冷媒管路は、熱風管路の気体加熱器及び気体冷凝器を順に経過し、圧縮機に通入し、該熱風管路、冷媒管路の何れかが補助熱交換器に接続し、気体冷凝器を補助し、更に空気温度及び飽和含水量を低減し、気体加熱器により空気温度を上昇させ、相対湿度を低減し、摂氏５５〜８５度の乾燥状態空気にすることを特徴とする。
【０００７】
好適実施例において、補助熱交換器は、補助冷却器であり、それは、冷媒管路に接続し、気体加熱器、気体冷凝器両者の間に位置し、冷媒を冷却する。更に、冷媒管路は、補助熱交換器、気体冷凝器両者の間で膨張弁を接続する。
【０００８】
好適実施例において、熱風管路は、もう１つの補助熱交換器を接続し、それは、乾燥箱、気体冷凝器両者の間に位置し、補助冷凝器とし、空気中に含まれる水分子を冷凝する。
【０００９】
好適実施例において、補助熱交換器は、補助冷凝器であり、それは、熱風管路に接続し、乾燥箱、気体冷凝器の間に位置し、冷凝空気中に含まれる水分子を冷凝する。更に、冷凝管路は、気体加熱器、気体冷凝器の間でもう１つの補助熱交換器に接続し、冷媒を冷凝する。
【考案の効果】
【００１０】
上記のように、本考案は、従来の乾燥機の欠陥を解決することができ、その鍵となる技術は、熱風管路に圧縮機を組み合わせた冷媒管路がヒートポンプシステムを構成することであり、少なくとも１つ又は２つの補助熱交換機を結合し、気体冷凝器を補助し、空気温度及び飽和含水量を更に低減し、気体加熱器により空気温度を上昇させ、相対湿度を低減し、摂氏５５〜８５度の乾燥状態空気にし、乾燥性能を大幅に増進することができる。
【図面の簡単な説明】
【００１１】
【図１】本考案の第１好適実施例の乾燥機熱気循環制御装置の配置図である。
【図２】本考案の第２好適実施例の乾燥機熱気循環制御装置の配置図である。
【図３】本考案の第３好適実施例の乾燥機熱気循環制御装置の配置図である。
【考案を実施するための形態】
【００１２】
本考案が上記目的を達成する為、採用する技術手段及びその効果について、実施例を挙げ、図面に合わせて以下に説明する。
【００１３】
まず、図１を参照し、本考案の熱気循環制御装置は、工業及び農業用乾燥機に適用し、乾燥箱１内に暫定的に置かれた濾過済みの汚泥、食品又は農産品等の被乾燥物１１に対し、摂氏５５〜８５度の乾燥を行い、図に示すように、密閉式ループ送風循環乾燥方式を採用し、熱エネルギー及びその電力を節減する。
【００１４】
図１に示す第１好適実施例において、本考案の熱気循環制御装置は、熱風管路２１を経由し、空気を伝送する送風機２と、冷媒管路６１を経由し冷媒を押し込む圧縮機６と、を含み、該熱風管路２１は、乾燥箱１、及びその被乾燥物１１、気体冷凝器３及び気体加熱器４を順に通過し、更に送風機２に通入し、該冷媒管路６１は、熱風管路２１の気体加熱器４及び気体冷凝器３を順に経過し、圧縮機６に通入し、冷媒を経由し、気体加熱器４に対し、加熱を行い、冷媒のもう１つの方面は、気体冷凝器３に対し冷却を行い、ヒートポンプの効用を達成する。
【００１５】
本考案は、熱気循環制御装置の主要な特長は、１つ又は２つの補助熱交換器５，７を結合し、少なくとも熱風管路２１及び/又は冷媒管路６１に補助熱交換器５又は７を接続でき、更に図１に示すように、熱風管路２１、冷媒管路６１をそれぞれ補助熱交換器５，７に接続し、気体冷凝器３の能力の向上を補助し、空気温度及び飽和含水量を低減し、排水口３１を合わせ冷凝水を排出し、気体加熱器４により空気温度を上昇させ、相対湿度を低減し、摂氏５５〜８５度の乾燥状態空気にし、その後、送風機２を介し、乾燥箱１中に送り込み、乾燥性能を大幅に増進することができる。
【００１６】
図１を参照し、本考案の列記循環制御装置は、補助熱交換器７を補助冷却器とし、冷媒管路６１に接続し、補助熱交換器７は、気体加熱器４、気体冷凝器３両者の間に位置し、ファン７２を合わせ、再度冷媒を冷却し、冷媒管路６１は、補助熱交換器７、気体冷凝器３両者の間に膨張弁６２に接続することができる。もう一方で、熱風管路２１は、補助熱交換器５に接続することができ、補助熱交換器５は、乾燥箱１、気体冷凝器３両者の間に位置し、補助冷凝器とし、冷凝空気中に含まれる水分子に早朝に冷凝する。
【００１７】
本考案は、熱気循環制御装置は、図１に示すように、２つの補助熱交換器５，７に結合することができる。また、実際に要求に応じて設計を行うことができ、例えば、図２において、冷媒管路６１において、補助熱交換器７にのみ接続し、図３に示すように、熱風管路２１において、補助熱交換器５にのみ接続する。
【００１８】
乾燥作業を実際に行う時、送風機２を利用し、摂氏５５〜８５度の乾燥状態の空気を乾燥箱１内に送り込み、被乾燥物１１に含まれる水分を迅速に吸収し、高湿度飽和空気とし、熱風管路２１を経由し、気冷式又は水冷式（冷却水又は氷水を使用）の補助熱交換器５（補助冷凝器）に進入させ、可変周波数モータ駆動ファン５２を組み合わせ、空気中の水分子を水滴に冷凝氏、排水口５１から外向きに排出し、空気を摂氏３５〜６０度及びその飽和含水量に到達させる。その後、空気が気体冷凝器３に進入し、更に摂氏３３〜５５度及びその飽和含水量に低減し、補助熱交換器７は、気冷式又は水冷式（冷却水又は氷水）を採用することができ、主に、更に冷媒を冷却し、ヒートポンプ及び気体冷凝器３の性能を向上する。空気は、気体加熱器４を通過し、空気温度に５５〜８５度に到達させ、相対湿度を乾燥状態に低減し、送風機２を経由して送出し、循環乾燥を行う。
【００１９】
上記のように、本考案は、従来の乾燥機の欠陥を解決することができ、その鍵となる技術は、熱風管路に圧縮機を組み合わせた冷媒管路がヒートポンプシステムを構成することであり、少なくとも１つ又は２つの補助熱交換機を結合し、気体冷凝器を補助し、空気温度及び飽和含水量を更に低減し、気体加熱器により空気温度を上昇させ、相対湿度を低減し、摂氏５５〜８５度の乾燥状態空気にし、乾燥性能を大幅に増進することができる。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２１】
１  乾燥箱
１１  被乾燥物
２  送風機
２１  熱風管路
３  気体冷凝器
３１  排水口
４  気体加熱器
５  補助熱交換器
５１  排水口
５２  ファン
６  圧縮機
６１  冷媒管路
６２  膨張弁
【図１】
0003170761.tif 000003
【図２】
0003170761.tif 000004
【図３】
0003170761.tif 000005